【事件の表示】
　特願２００７−５１５７３７「自在袋閉鎖用留め金」拒絶査定不服審判事件〔平成１７年１２月２９日国際公開、ＷＯ２００５／１２３５２２、平成２０年　１月３１日国内公表、特表２００８−５０２５４０〕について、次のとおり審決する。
【結　論】
　本件審判の請求は、成り立たない。
【理　由】
１．手続の経緯
　本願は、２００５年６月１６日（パリ条約による優先権主張外国庁受理２００４年６月１８日、オーストラリア国）を国際出願日とする出願であって、平成２３年１２月２０日付けで拒絶査定がなされ、これに対し、平成２４年４月１７日に拒絶査定不服審判の請求がなされるとともに、同時に手続補正がなされたものである。
　
２．平成２４年４月１７日付けの手続補正についての補正却下の決定
［補正却下の決定の結論］
　平成２４年４月１７日付けの手続補正（以下、「本件補正」という。）を却下する。
［理由］
２−１．本件補正
　本件補正は、平成２３年５月１９日に補正された特許請求の範囲の請求項１に、「閉鎖位置から開放位置までの第１および第２部材の相対的な滑動移動の停止用の停止手段が含まれ、前記停止手段は、貫通第２通路と隣接して前記第２部材から外側に拡がり、前記第１部材と接するようになっており、第１通路内を移動可能である」という限定事項を付加する補正を含んでおり、当該請求項１に係る補正は、補正前の請求項１に記載された事項を限定するものであるので、平成１８年法律第５５号改正附則第３条第１項によりなお従前の例とされる同法による改正前の特許法第１７条の２第４項第２号に規定される特許請求の範囲の減縮を目的とする補正に該当するものということができる。
　そこで、補正後の請求項１に記載された事項によって特定される発明が特許出願の際独立して特許を受けることができるものであるか（上記特許法第１７条の２第５項において準用する同法第１２６条第５項の規定に適合するか）について検討する。
　
２−２．本願補正発明
　補正後の請求項１に係る発明は、補正後の特許請求の範囲の請求項１に記載された以下の事項により特定されるとおりのものと認める（以下、「本願補正発明」という。）。
「第１あごおよび片側面から第１通路まで第１開口部が設けられる貫通第１通路のある第１部材、第２あごおよび片側面から第２通路まで第２開口部が設けられる貫通第２通路のある第２部材が含まれ、前記第１および第２あごが一定間隔離れて配置されると同時に、前記第１および第２開口部が少なくとも部分的に列に並べられかつ片側面から前記第１通路まで入口が提供される開放位置と、前記第１および第２あごによりその間で閉鎖される袋の一部が協働して留め金で留められる閉鎖位置との間の滑動移動に関連して前記第２部材が前記第１部材と噛合し、
　前記第１および第２部材が閉鎖位置に偏向されるための偏向手段が含まれ、
　前記偏向手段は２個のばねであり、前記２個のばねの端部は、前記第１部材に設けられた２個の窪み部と、前記第２部材に設けられた２個の止め釘とにそれぞれ保持されており、
　前記閉鎖位置から前記開放位置までの前記第１および第２部材の相対的な滑動移動の停止用の停止手段が含まれ、
　前記停止手段は、前記貫通第２通路と隣接して前記第２部材から外側に拡がり、前記第１部材と接するようになっており、前記第１通路内を移動可能であることを特徴とする留め金。」
　
２−３．引用文献
　原査定の拒絶の理由に引用した米国特許第４８０３７５９号明細書（以下、「引用文献１」という。）には、「手動的に操作される袋閉鎖具」に関し、以下の事項が図面とともに示されている（括弧内は日本語訳）。
（ア）「This invention relates to a bag closure device which is manually operable to facilitate closing bags made of compliant material, such as the type made of plastic utilized to distribute and store items of food, such as a loaf of bread. 」（この発明は、たとえばパン片のような食品を搬送したり保存するためのプラスチックのような可撓性のある素材で作られた袋を簡単に手動操作で閉鎖することのできる袋の閉鎖具に関する。）（第１欄第１０〜１４行の記載参照）
（イ）「FIG. 1 is an isometric view showing the manually operated bag closure device of the invention with a bag disposed through the bag closure position thereof;
・・・
　FIG. 7 the side plan view of a bag closure device having an alternative embodiment of the plunger retaining means; and
　FIG. 8 a partial view in section taken along the lines 8--8 of FIG. 7 showing the details of the alternative embodiment of the plunger retaining means.」（第１図は、袋を閉鎖位置に保持している手動操作される袋の閉鎖具を示す等大寸法の図であり、
・・・
　第７図は、プランジャー停止手段の異なる実施例の袋の閉鎖具の平面図であり、
　第８図は、プランジャー停止手段の詳細を示す第７図の８−８線断面図である。）（第２欄第２６〜６０行の記載参照）
（ウ）「Turning now to FIGS. 7 and 8, there is shown a device 100 which includes an alternative embodiment of a plunger retaining means. Device 100 includes a housing 102 having a cavity 104 extending thereinto from one longitudinal end thereof. A plunger 106 is compatibly configured with the housing 102 and is disposed within cavity 104 for reciprocal movement therein.
　Housing 102 comprises a base 108, a front wall 110, a pair of side walls 112, 114, and a rear wall 116. Housing 102 has a slot 118 formed in front wall 110 and side walls 112, 114. Plunger 106 also has a slot 120 formed therein which is approximately the same size as slot 118.」（第７及び８図は、プランジャー停止手段の異なる実施例に係る器具１００を示している。閉鎖具１００は、一端から長手方向に延びる空所１０４を有するハウジング１０２を含む。プランジャー１０６は、ハウジング１０２の空所１０４内に相対移動するように配置される。
　ハウジング１０２は、底部１０８、前面壁１１０、一対の側壁１１２，１１４及び背面壁１１６から成る。ハウジング１０２は、前面壁１１０及び側壁１１２，１１４に形成されたスロット１１８を有する。プランジャー１０６も、スロット１１８とほぼ同じサイズのスロット１２０を有する。）（第５欄第５４〜６５行の記載参照）
（エ）「Device 100 has a bag insertion position for inserting the neck of a bag into device 100, and a bag closure position for securely closing the neck of the bag. In the bag insertion position, plunger 106 reaches a point of maximum travel into the housing 102 and the housing slot 118 and the plunger slot 120 are substantially aligned to create an opening which allows the insertion of the neck of a bag into slots 118, 120. In the bag closure position plunger 106 reaches a point of maximum travel out of the housing 102 and housing slot 118 and plunger slot 120 are substantially misaligned, with plunger slot 120 moving up into housing 102 to close the neck of the bag tightly.」（器具１００は、袋の首部を挿入する袋挿入位置と、袋の首部を閉鎖する袋閉鎖位置とをとる。袋挿入位置において、プランジャー１０６は、ハウジング１０２内方の最大移動位置に達し、ハウジングスロット１１８とプランジャースロット１２０とは実質的に一致して並び、袋の首部がスロット１１８，１２０へ挿入されるのを許容する開口が形成される。袋閉鎖位置において、プランジャー１０６は、ハウジング１０２外方の最大移動位置に達し、ハウジングスロット１１８とプランジャースロット１２０との位置は実質的にずれて、プランジャースロット１２０のハウジング１０２内への運動によって袋の首がきつく閉じられる。）（第５欄６５行〜第６欄第１０行の記載参照）
（オ）「Bias means, such a spring 122, is positioned in housing 102 between base 108 and plunger 106 for forcing plunger 106 from the bag insertion position to the bag closure position.」（スプリング１２２のような偏向手段が、プランジャー１０６を袋挿入位置から袋閉鎖位置へ付勢するようにハウジング１０２内の底部１０８とプランジャー１０６の間に設けられている。）（第６欄第１０〜１４行の記載参照）
（カ）「Device 100 further includes means for retaining the plunger 106 within cavity 104 against the force of spring 122. The plunger retaining means includes a projection 124 formed in plunger 106 and an aperture 126 formed in rear wall 116 of housing 102.
　Projection 124, as shown in FIG. 8, extends upwardly and angles outwardly towards the exterior of cavity 104 so that when plunger 106 reaches the point of maximum travel out of cavity 104 projection 124 stops against an abutment surface 128 formed in rear wall 116 by aperture 126 to retain the plunger 106 in cavity 104 against the force of the spring 122. Aperture 126 is positioned on rear wall 116 so that when projection 124 stops against abutment surface 128, plunger 106 has moved out of cavity 104 far enough to close housing slot 118.」（器具１００は、さらにプランジャー１０６をスプリング１２２の付勢力に抗して空所内１０４で停止する手段を備える。プランジャー停止手段は、プランジャー１０６に形成された突起１２４とハウジング１０２の背面壁１１６に形成された穴１２６を含む。
　突起１２４は、図８に示すように上方及び空所１０４の外方に向けて延びており、プランジャー１０６が空所１０４の外方の最大移動点に達したとき、突起１２４はハウジング背面壁の穴１２６によって形成された端壁面１２８に当接して停止し、プランジャー１０６はスプリング１２２の付勢力に抗して空所内にとどまる。穴１２６は、突起１２４が端壁面１２８に当接して停止したときにプランジャー１０６がハウジングスロット１１８を閉じるのに十分な距離だけ空所１０４の外方に移動しているような背面壁１１６の位置に設けられる。）（第６欄第１５〜２９行の記載参照）
（キ）「Plunger 106 further includes a plunger stop 130 formed in one end thereof which limits the travel of plunger 106 into housing 102 and a notch 132 formed in the end of the plunger 106 opposite the plunger stop 130 for keeping spring 122 in a proper position in housing 102.」（プランジャー１０６は、一端にプランジャー１０６のハウジング１０２内方への移動を制限するプランジャーストップ１３０、及びプランジャーストップ１３０と反対の端部にスプリング１２２をハウジング１０２内の適正な位置に保持するための窪み部１３２を備える。）（第６欄第３０〜３５行の記載参照）
（ク）閉鎖具１００を示す第７、８図及び他の図面を参照すると、ハウジングスロット１１８は、ハウジング１０２の両側壁１１２、１１４を貫通する方向に延びて袋の首部を保持する通路と、ハウジング１０２の前壁１１０から上記袋の首部を保持する通路の方向に延びる通路を有し、プランジャースロット１２０は、上記ハウジングスロット１１８とほぼ同形で、上記ハウジングスロット１２０と同様の２つの通路を有し、また、袋閉鎖位置では、ハウジングスロット１１８及びプランジャースロット１２０のそれぞれの対向する縁部で袋の首部を挟むようになっていることは明らかである。
　
　以上の記載から、引用文献１には、下記の発明（以下、「引用発明」という。）が記載されているということができる。
「ハウジングスロット１１８を有するハウジング１０２と、プランジャースロット１２０を有するプランジャー１０６と、ハウジング１０２の空所内１０４内に摺動可能に装着されたプランジャー１０６を、ハウジング１０２の外方に偏位するように付勢するスプリング１２２とからなり、
　ハウジングスロット１１８は、ハウジング１０２の両側壁１１２、１１４を貫通する方向に延びて袋を保持する通路と、ハウジング１０２の前壁１１０から上記袋の首部を保持する通路の方向に延びる通路とを有し、プランジャースロット１２０は、上記ハウジングスロット１１８とほぼ同形で、上記ハウジングスロット１２０と同様の２つの通路を有し、ハウジングスロット１１８とプランジャースロット１２０が重なり合ったとき、上記２つの通路も一致して、袋の首部を両スロット１１８、１２０に前壁側の通路から袋を挿入可能な袋挿入位置となり、スプリング１２２の付勢力によってプランジャー１２０が移動して、両スロット１１８、１２０がずれたとき、それぞれの対向する縁部で袋の首部を挟んで閉鎖する袋閉鎖位置となり、
　上記プランジャー１２０を袋閉鎖位置に偏位するスプリング１２２の一端部はプランジャー１２０に設けられた窪み部１３２に保持されおり、
　ハウジング１０２とプランジャー１０６の相対的移動の停止用の停止手段が、ハウジング１０２の背面壁１１６に形成された穴部１２６の端面１２８に接するようにプランジャー１０６から外側に延びて設けられた突起１２４を有している、袋の閉鎖具１００」
　
　また、特開２００３−２８９９０８号公報（以下、「引用文献２」という。）には、「紐留め具」が、「雄部材の押し込み位置で留め付けの対象となる紐を差し通し可能なように相互に連通される紐の通し穴をそれぞれ有する、当該雄部材及びこの雄部材が移動可能に差し入れられた雌部材と、前記各通し穴に差し通された紐を当該各通し穴を前記雄部材を前記雌部材から突き出す向きに付勢させることによりズレさせてこの各通し穴の穴縁部で挟み付けさせるようにする当該雄部材の付勢手段を備えた」（段落番号【０００１】の記載参照）ものであること、実施例として、「雄部材２０の頭部２２と反対の側にある端部面において開口し、バネ３１を一端側から収め入れる収め入れ穴２４が設けてあると共に、雌部材１０の底板１２内面にかかるバネ３１の他端側が巻回状態に嵌め付けられる突部１４が設けてある」（段落番号【００２９】の記載参照）こと、及び「雄部材２０の通し穴２３における前記頭部２２と反対の側にある穴縁には、雌部材１０への雄部材２０の差し入れ部２１の差し入れに当たり僅かに弾性変形してこの差し入れを許容し、雌部材１０の通し穴１３において弾性復帰して、前記バネ３１の付勢による雄部材２０の移動にあたり雌部材１０の通し穴１３における前記開口１１側の穴縁部に当接して雄部材２０のそれ以上の突き出し方向への移動を阻止する突起２１ｂが設けてある」（段落番号【００３３】の記載参照）こと等が図面とともに示されている。
　
２−４．対比
　本願補正発明と引用発明とを対比する。
　引用発明の「閉鎖具１００」、「ハウジング１０２」及び「プランジャー１０６」は、それぞれ本願補正発明の「留め金」、「第１部材」及び「第２部材」に相当する。
　引用発明の「ハウジングスロット１１８」及び「プランジャースロット１２０」は、それぞれ本願補正発明の「第１開口部」及び「第２開口部」に相当し、本願明細書の段落番号【００１０】、【００１２】及び図面等の記載から、「第１通路」及び「第２通路」は、第１部材または第２部材において正面と背面を貫通する方向に延びる通路、「第１貫通通路」及び「第２貫通通路」は、第１部材または第２部材の片側部から上記第１または第２通路の方向に延びる通路ということができるので、引用発明のハウジング１０２の両側壁１１２、１１４を貫通する方向に延びて袋の首部を保持する「通路」及びそれに対応するプランジャー１０６の「通路」、並びにハウジング１０２の片側面に相当する前壁１１０から上記袋の首部を保持する通路の方向に延びる「通路」及びそれに対応するプランジャー１０６の「通路」は、それぞれ本願補正発明の「第１通路」及び「第２通路」、並びに「第１貫通通路」及び「第２貫通通路」に相当するといえ、
　本願補正発明の「第１あご」及び「第２あご」は、本願明細書の段落番号【００１８】の「閉鎖板の面２９ａ及び筺体の２４ｂが……袋の壁上で挟み型のあごのように作用する閉鎖位置方向」の記載及び図６及び図７等の記載から、筺体すなわち第１部材と閉鎖板すなわち第２部材が閉鎖位置にあるときに袋の一部に噛合うように作用する第１開口部及び第２開口部の縁部であり、引用発明のハウジングスロット１１８及びプランジャースロット１２０の対向する縁部がこれらに相当する。
　また、引用発明のプランジャー１２０を袋閉鎖位置に偏位するスプリング１２２は、本願補正発明の第１および第２部材が閉鎖位置に偏向されるための偏向手段としての「ばね」に相当し、
　引用発明の停止手段としてのプランジャー１０６から外方に延び、ハウジング１０２（の穴部１２６の端面１２８）に接する「突起１２４」は、本願補正発明の第２部材から外側に拡がり、第１部材と接するようになっており第１および第２部材の相対的な滑動移動の停止用の「停止手段」に相当する。
　してみれば、両者の一致点及び相違点は、以下のとおりである。
［一致点］
「第１あごおよび片側面から第１通路まで第１開口部が設けられる貫通第１通路のある第１部材、第２あごおよび片側面から第２通路まで第２開口部が設けられる貫通第２通路のある第２部材が含まれ、前記第１および第２あごが一定間隔離れて配置されると同時に、前記第１および第２開口部が少なくとも部分的に列に並べられかつ片側面から前記第１通路まで入口が提供される開放位置と、前記第１および第２あごによりその間で閉鎖される袋の一部が協働して留め金で留められる閉鎖位置との間の滑動移動に関連して前記第２部材が前記第１部材と噛合し、
　前記第１および第２部材が閉鎖位置に偏向されるための偏向手段が含まれ、
　前記偏向手段はばねであり、そのばねの端部は、前記第１部材と前記第２部材とに保持されており、
　前記閉鎖位置から前記開放位置までの前記第１および第２部材の相対的な滑動移動の停止用の停止手段が含まれ、
　前記停止手段は、前記第２部材から外側に拡がり、前記第１部材と接するようになっている留め金。」
　
［相違点１］本願補正発明では、偏向手段は２個のばねであり、前記２個のばねの端部は、第１部材に設けられた２個の窪み部と、第２部材に設けられた２個の止め釘とにそれぞれ保持されているのに対し、引用発明では、スプリングの本数は特定されておらず、その一端はプランジャー１２０に設けられた窪み部１３２に保持され、他端はハウジング内面への保持形態は特定されていない点。
［相違点２］本願補正発明では、「停止手段」は、貫通第２通路と隣接しており、第１通路内を移動可能であるとされているのに対し、引用発明では、「突起１２４」は、ハウジング１０２の背面壁に形成された穴部１２６の端面１２８に接するように設けられている点。
　
２−５．判断
　そこで、上記各相違点について検討する。
［相違点１］について
　ばねの端部を、当該ばねの保持を確実にするために窪み部または突起部により保持することは、例えば、引用文献２や特開２０００−８８０６４号公報に示されるように本願出願前周知の技術であり、また、ばねの各端部を窪み部または突起部のどちらで支持するかは、当業者が適宜に選択する程度の設計的事項と認められる。
　また、引用文献１の第７、８図のものは、ばね（スプリング）を１個のみ用いているが、用いるばねの個数は、留め具の形状や必要とされる噛合力の大きさ等に応じて当業者が適宜に決定しうる設計的事項と認められ、２個とすることにより奏する作用効果についても、当業者が容易に想到しうる範囲のものである。
　よって、引用発明において、上記周知の技術を適用し、また、スプリングを２個とし、ハウジングに窪み部、プランジャーに本願補正発明で「止め釘」と称する突起部をそれぞれ設け、各スプリングの端部を支持することにより、上記相違点１の本願発明のようになすことは、当業者が容易になし得たものである。
　
［相違点２］について
　引用文献２に記載された紐留め具の「雌部材１０」及び「雄部材２０」は、それぞれ本願補正発明の「第１部材」及び「第２部材」に相当し、バネ３１の付勢により、雄部材２０が所定量以上移動するのを阻止する突起２１ｂは、本願補正発明の「停止手段」に相当するところ、該突起２１ｂは「通し穴１３における開口１１側の穴縁部に当接」することから、本願補正発明の第１通路に相当する雌部材の通し穴１３内を移動可能であることは明らかである。
　そして、引用文献２に記載された紐留め具も、本願補正発明及び引用発明と同様に、第１の部材と、該第１の部材の内部を相対的に移動可能な第２の部材に共通の通路を形成し、第１、第２の部材の相対移動により、両部材の開口部が一致したときに通路に挿入された対象物を、両部材の開口部がずれたときに留めるようにし、該留め位置に第２の部材を偏向する手段としてばねを両者の間に保持する留め具である点で技術的に共通する。
　よって、引用発明の停止手段の配置を、引用文献２に記載されたもののようにすることにより、上記相違点２の本願発明のようになすことは、当業者が容易になし得たものである。また、上記停止手段の配置により、当該停止手段は、本願補正発明の「貫通第２通路」に相当するプランジャーの通路に隣接した配置となることは明らかである。
　
　したがって、本願補正発明は、引用発明、引用文献２に記載された発明及び周知の技術に基づいて当業者が容易に発明をすることができたものである。
　
２−６．むすび
　上記のとおり、本願補正発明は、特許法第２９条第２項の規定により特許出願の際に独立して特許を受けることのできないものであるので、本件補正は、平成１８年法律第５５号改正附則第３条第１項によりなお従前の例によるとされる同法による改正前の特許法第１７条の２第５項において準用する同法第１２６条第５項の規定に違反するものであるので、同法第１５９条第１項において読み替えて準用する同法第５３条第１項の規定により却下すべきものである。
　
　なお、請求人は、当審の審尋に対する平成２４年１２月２０日付けの回答書において、審尋に新たな引用文献が提示されているので、さらなる補正の機会を希望する旨述べているが、審判請求時の補正を却下するに際し、反論の機会を与えなければならないとする特許法上の規定はなく、しかも、上記引用文献１及び２、並びに周知例は何れも原査定において提示されたものであり、さらに、希望する補正がいかなるものか具体的な補正案も示されていないので、審判長は、さらなる補正の機会を与えないこととした。
　
３．本願発明について
３−１．本願発明
　平成２４年４月１７日付けの手続補正は上記のとおり却下されたので、本願の請求項１乃至１０に係る発明は、平成２３年５月１９日付けで補正された特許請求の範囲の請求項１乃至１０に記載された事項により特定されるとおりのものであるところ、請求項１の記載は、以下のとおりである（以下、これによって特定される発明を「本願発明」という。）。
「第１あごおよび片側面から第１通路まで第１開口部が設けられる貫通第１通路のある第１部材、第２あごおよび片側面から第２通路まで第２開口部が設けられる貫通第２通路のある第２部材が含まれ、前記第１および第２あごが一定間隔離れて配置されると同時に、前記第１および第２開口部が少なくとも部分的に列に並べられかつ片側面から前記第１通路まで入口が提供される開放位置と、前記第１および第２あごによりその間で閉鎖される袋の一部が協働して留め金で留められる閉鎖位置との間の滑動移動に関連して前記第２部材が前記第１部材と噛合し、
　前記第１および第２部材が閉鎖位置に偏向されるための偏向手段が含まれ、
　前記偏向手段は２個のばねであり、前記２個のばねの端部は、前記第１部材に設けられた２個の窪み部と、前記第２部材に設けられた２個の止め釘とにそれぞれ保持されていることを特徴とする留め金。」
　
３−２．引用文献
　原査定の拒絶の理由に引用された米国特許第４８０３７５９号明細書の記載事項及び引用発明は、前記「２−３．引用文献」に記載したとおりである。
　
３−３．対比・判断
　本願発明は、前記「２−２．本願補正発明」に記載した本願補正発明から、「閉鎖位置から開放位置までの第１および第２部材の相対的な滑動移動の停止用の停止手段が含まれ、前記停止手段は、貫通第２通路と隣接して前記第２部材から外側に拡がり、前記第１部材と接するようになっており、第１通路内を移動可能である」という限定事項を省いたものであり、他の構成については本願補正発明と差がない。
　したがって、本願発明と引用発明との一致点及び相違点は、以下のとおりである。
［一致点］
「第１あごおよび片側面から第１通路まで第１開口部が設けられる貫通第１通路のある第１部材、第２あごおよび片側面から第２通路まで第２開口部が設けられる貫通第２通路のある第２部材が含まれ、前記第１および第２あごが一定間隔離れて配置されると同時に、前記第１および第２開口部が少なくとも部分的に列に並べられかつ片側面から前記第１通路まで入口が提供される開放位置と、前記第１および第２あごによりその間で閉鎖される袋の一部が協働して留め金で留められる閉鎖位置との間の滑動移動に関連して前記第２部材が前記第１部材と噛合し、
　前記第１および第２部材が閉鎖位置に偏向されるための偏向手段が含まれ、
　前記偏向手段はばねであり、そのばねの端部は、前記第１部材と前記第２部材とに保持されている留め金。」
［相違点］本願発明では、偏向手段は２個のばねであり、前記２個のばねの端部は、第１部材に設けられた２個の窪み部と、第２部材に設けられた２個の止め釘とにそれぞれ保持されているのに対し、引用発明では、スプリングの本数は特定されておらず、その一端はプランジャー１２０に設けられた窪み部１３２に保持され、他端はハウジング内面への保持形態は特定されていない点。
　
　上記相違点は、上記「２−４．対比」に記載した［相違点１］と同じであり、上記「２−５．判断」の「［相違点１］について」に記載したとおり、当業者が容易になし得たものである。
　したがって、本願発明は、引用発明及び周知の技術に基づいて当業者が容易に発明をすることができたものである。
　
３−４．むすび
　以上のとおり、本願発明は、特許法第２９条第２項の規定により特許を受けることができないので、他の請求項について検討するまでもなく、本願は拒絶すべきものである。
　よって、原査定は妥当であり、結論のとおり審決する。